(57)【要約】【課題】  広画角かつ高ズーム比で、全ズーム範囲にわたり高い光学性能を有するズームレンズを得ること。【解決手段】  物体側より像側へ順に、正の屈折力の第１レンズ群、負の屈折力の第２レンズ群、正の屈折力の第３レンズ群、正の屈折力の第４レンズ群を有し、ズーミングに際して、少なくとも前記第２レンズ群と前記第４レンズ群が光軸上を移動するズームレンズであって、前記第２レンズ群は物体側より像側へ順に、３つの負レンズと１つの正レンズより構成され、前記第２レンズ群の焦点距離をｆ２、広角端と望遠端における全系の焦点距離を各々ｆｗ、ｆｔとするとき【数１】2010256845.tif 000009なる条件を満足すること。【選択図】  図１
2010256845.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、ズーミングに際して、少なくとも前記第２レンズ群と前記第４レンズ群が光軸上を移動するズームレンズであって、前記第２レンズ群は物体側より像側へ順に、３つの負レンズと１つの正レンズより構成され、前記第２レンズ群の焦点距離をｆ２、広角端と望遠端における全系の焦点距離を各々ｆｗ、ｆｔとするとき
【数１】
2010256845.tif 000008
なる条件を満足することを特徴とするズームレンズ。
【請求項２】
前記第２レンズ群の１つの負レンズの材料の屈折率をＮ２Ｎ、１つの正レンズの材料のアッベ数をν２Ｐとするとき
１．８５＜Ｎ２Ｎ
ν２Ｐ＜２２
なる条件を満足することを特徴とする請求項１のズームレンズ。
【請求項３】
前記第１レンズ群は物体側から像側へ順に負レンズ、正レンズ、正レンズ、正レンズより成り、前記第１レンズ群の焦点距離をｆ１、望遠端における全系の焦点距離をｆｔ、前記第１レンズ群の１つの正レンズの材料のアッベ数をＶ１Ａ、他の１つの正レンズの材料のアッベ数をＶ１Ｂとするとき、
０．７＜ｆ１／ｆｔ＜１．０
６５＜Ｖ１Ａ＜７５
７０＜Ｖ１Ｂ
なる条件を満足することを特徴とする請求項１又は２のズームレンズ。
【請求項４】
前記第４レンズ群は、物体側から像側へ順に、正レンズ、負レンズと正レンズを接合した接合レンズを有することを特徴とする請求項１、２又は３のズームレンズ。
【請求項５】
前記第３レンズ群の全部または一部のレンズ群は光軸方向に対し垂直方向の成分を持つように移動させて像位置を変位させることを特徴とする請求項１乃至４記載のいずれか１項のズームレンズ。
【請求項６】
請求項１から５のいずれか１項のズームレンズと、該ズームレンズによって形成された像を受光する固体撮像素子とを有していることを特徴とする撮像装置。
【発明の詳細な説明】
【技術分野】
【０００１】
本発明はズームレンズ及びそれを有する撮像装置に関し、特にビデオカメラ、銀塩写真用カメラ、デジタルカメラ、ＴＶカメラ、監視用カメラなどに好適なものである。
【背景技術】
【０００２】
近年、固体撮像素子を用いたビデオカメラ、デジタルスチルカメラ等の撮像装置に用いる撮影光学系は、広画角、高ズーム比のズームレンズであることが要望されている。これらの要求に応えるズームレンズとして、物体側より像側へ順に、正、負、正、正の屈折力の第１〜第４レンズ群より成る４群ズームレンズが知られている。
【０００３】
このうち、第２レンズ群を移動させて変倍を行い、第４レンズ群を移動させて変倍に伴う像面変動の補正を行うとともに、第４レンズ群でフォーカスを行うリヤーフォーカス式の４群ズームレンズが知られている（特許文献１〜３）。又、このタイプの４群ズームレンズにおいてズーム比２０倍程度の高ズーム比のズームレンズが知られている（特許文献４、５）。
【先行技術文献】
【特許文献】
【０００４】
【特許文献１】特開平０７−２７０６８４号公報
【特許文献２】特開平１１−３０５１２４号公報
【特許文献３】特開２００５−２１５５１８号公報
【特許文献４】特開２００６−２４３３５５号公報
【特許文献５】特開２００７−３２２６３５号公報
【発明の概要】
【発明が解決しようとする課題】
【０００５】
近年、撮像装置に用いる撮影レンズ系（撮影光学系）には、広画角で高ズーム比（高倍率）であることが強く望まれている。また、撮像素子の高画素化に伴い、より高い光学性能を有していることが要望されている。一般に高ズーム比化を図るには、変倍用レンズ群の屈折力を高め、ズーミングのための移動量を増加させれば良い。しかしながらこのようにしたズームレンズはズーミングの際の収差変動が大きくなり、全ズーム範囲にわたり高い光学性能を得るのが困難になってくる。
【０００６】
このため広画角化及び高ズーム比化を図りつつ、全ズーム範囲にわたり高い光学性能を得るには、ズームタイプ、各レンズ群の屈折力そして各レンズ群のレンズ構成等を適切に設定することが重要になってくる。特に前述したズームタイプのリヤーフォーカス式の４群ズームレンズでは、主たる変倍を行う第２レンズ群の構成を適切に設定することが重要になってくる。例えば第２レンズ群の屈折力（パワー）やレンズ構成、そしてレンズに用いる材料等を適切に設定しないと広画角化及び高ズーム比化を図りつつ、全変倍範囲にわたり高い光学性能を得るのが困難になってくる。
【０００７】
本発明は、広画角かつ高ズーム比で、全ズーム範囲にわたり高い光学性能を有したズームレンズ及びそれを有する撮像装置を提供することを目的とする。
【課題を解決するための手段】
【０００８】
本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して、少なくとも前記第２レンズ群と前記第４レンズ群が光軸上を移動するズームレンズであって、前記第２レンズ群は物体側より像側へ順に、３つの負レンズと１つの正レンズより構成され、前記第２レンズ群の焦点距離をｆ２、広角端と望遠端における全系の焦点距離を各々ｆｗ、ｆｔとするとき
【０００９】
【数１】
2010256845.tif 000003
【００１０】
なる条件を満足することを特徴としている。
【発明の効果】
【００１１】
本発明によれば、広画角かつ高ズーム比で、全ズーム範囲にわたり高い光学性能を有するズームレンズが得られる。
【図面の簡単な説明】
【００１２】
【図１】実施例１のズームレンズの広角端におけるレンズ断面図
【図２】実施例１のズームレンズの諸収差図
【図３】実施例２のズームレンズの広角端におけるレンズ断面図
【図４】実施例２のズームレンズの諸収差図
【図５】実施例３のズームレンズの広角端におけるレンズ断面図
【図６】実施例３のズームレンズの諸収差図
【図７】実施例４のズームレンズの広角端におけるレンズ断面図
【図８】実施例４のズームレンズの諸収差図
【図９】実施例５のズームレンズの広角端におけるレンズ断面図
【図１０】実施例５のズームレンズの諸収差図
【図１１】実施例６のズームレンズの広角端におけるレンズ断面図
【図１２】実施例６のズームレンズの諸収差図
【図１３】実施例７のズームレンズの広角端におけるレンズ断面図
【図１４】実施例７のズームレンズの諸収差図
【図１５】実施例８のズームレンズの広角端におけるレンズ断面図
【図１６】実施例８のズームレンズの諸収差図
【図１７】本発明の撮像装置の要部概略図
【発明を実施するための形態】
【００１３】
以下、図面を用いて本発明のズームレンズ及びそれを有する撮像装置の実施例について説明する。本発明のズームレンズは、物体側より像側へ順に、正の屈折力の第１レンズ群、負の屈折力の第２レンズ群、正の屈折力の第３レンズ群、正の屈折力の第４レンズ群を有する。そしてズーミングに際して少なくとも第２レンズ群と第４レンズ群が光軸上を移動する。
【００１４】
図１は実施例１のズームレンズの広角端におけるレンズ断面図、図２（Ａ）、（Ｂ）、（Ｃ）は実施例１のズームレンズの無限遠物体にフォーカスしているときの広角端（短焦点距離端）、中間のズーム位置、望遠端（長焦点距離端）における収差図である。図３は実施例２のズームレンズの広角端におけるレンズ断面図、図４（Ａ）、（Ｂ）、（Ｃ）は実施例２のズームレンズの無限遠物体にフォーカスしているときの広角端、中間のズーム位置、望遠端における収差図である。図５は実施例３のズームレンズの広角端におけるレンズ断面図、図６（Ａ）、（Ｂ）、（Ｃ）は実施例３のズームレンズの無限遠物体にフォーカスしているときの広角端、中間のズーム位置、望遠端における収差図である。図７は実施例４のズームレンズの広角端におけるレンズ断面図、図８（Ａ）、（Ｂ）、（Ｃ）は実施例４のズームレンズの無限遠物体にフォーカスしているときの広角端、中間のズーム位置、望遠端における収差図である。図９は実施例５のズームレンズの広角端におけるレンズ断面図、図１０（Ａ）、（Ｂ）、（Ｃ）は実施例５のズームレンズの無限遠物体にフォーカスしているときの広角端、中間のズーム位置、望遠端における収差図である。図１１は実施例６のズームレンズの広角端におけるレンズ断面図、図１２（Ａ）、（Ｂ）、（Ｃ）は実施例６のズームレンズの無限遠物体にフォーカスしているときの広角端、中間のズーム位置、望遠端における収差図である。図１３は実施例７のズームレンズの広角端におけるレンズ断面図、図１４（Ａ）、（Ｂ）、（Ｃ）は実施例７のズームレンズの無限遠物体にフォーカスしているときの広角端、中間のズーム位置、望遠端における収差図である。図１５は実施例８のズームレンズの広角端におけるレンズ断面図、図１６（Ａ）、（Ｂ）、（Ｃ）は実施例８のズームレンズの無限遠物体にフォーカスしているときの広角端、中間のズーム位置、望遠端における収差図である。図１７は本発明のズームレンズを備えるビデオカメラ（撮像装置）の要部概略図である。レンズ断面図においてＢ１は正の屈折力（光学的パワー＝焦点距離の逆数）の第１レンズ群、Ｂ２は負の屈折力の第２レンズ群、Ｂ３は正の屈折力の第３レンズ群、Ｂ４は正の屈折力の第４レンズ群である。
【００１５】
Ｇは光学フィルター、フェースプレート等に相当する光学ブロックであり、後述する数値実施例では屈折力のない第５レンズ群として示している。ＩＰは像面であり、ビデオカメラやデジタルスチルカメラの撮影光学系として使用する際にはＣＣＤセンサやＣＭＯＳセンサ等の固体撮像素子（光電変換素子）の撮像面が、銀塩フィルム用カメラのときはフィルム面に相当する。ＳＰは開口絞りであり、第３レンズ群Ｂ３の物体側に設けている。球面収差図において実線はｄ線、２点鎖線はｇ線である。非点収差図において点線はメリディオナル像面、実線はサジタル像面である。倍率色収差はｇ線によって表している。ＦｎｏはＦナンバー、ωは半画角である。尚、以下の各実施例において広角端と望遠端のズーム位置とは変倍用のレンズ群（各実施例では第２レンズ群Ｂ２）が機構上光軸上を移動可能な範囲の両端に位置したときのズーム位置をいう。
【００１６】
各実施例では、広角端から望遠端のズーム位置へのズーミングに際して、少なくとも第２レンズ群Ｂ２を像側へ移動させて変倍を行うと共に、変倍に伴う像面変動を第４レンズ群Ｂ４を物体側に凸状の軌跡の一部を有しつつ移動させて補正している。また、第４レンズ群Ｂ４を光軸上移動させてフォーカシングを行うリヤーフォーカス方式を採用している。第４レンズ群Ｂ４の実線の曲線４ａと点線の曲線４ｂは、各々無限遠物体と近距離物体にフォーカスしているときの広角端から望遠端のズーム位置へのズーミングの際の像面変動を補正するための移動軌跡である。このように第４レンズ群Ｂ４を物体側へ凸状の軌跡とすることで、第３レンズ群Ｂ３と第４レンズ群Ｂ４との間の空間の有効利用を図り、レンズ全長の短縮化を効果的に達成している。なお、第３レンズ群Ｂ３はズーミング及びフォーカスのためには不動である。
【００１７】
各実施例において、例えば望遠端のズーム位置において無限遠物体から近距離物体へフォーカスを行う場合には、矢印４ｃに示すように第４レンズ群Ｂ４を前方に繰り出すことで行っている。各実施例においては第３レンズ群Ｂ３のうち全部又は少なくとも一部のレンズ群を光軸と垂直方向の成分を持つように移動させて像位置を変位し、光学系全体が振動したときの像ぶれ（画像ぶれ）を補正するようにしている。
【００１８】
各実施例のズームレンズは、広角端における画角（撮影画角）を広くしながら、高変倍比（高ズーム比）とするため、物体側から像側へ順に正、負、正、正の屈折力のレンズ群を有するレンズ構成としている。そして広角端から望遠端へのズーミングに際し、少なくとも第２レンズ群Ｂ２と第４レンズ群Ｂ４を移動させることで、高ズーム比でありながら高性能を維持し、かつ少ない移動レンズ群数で高ズーム比化を実現している。特に、変倍作用を持つ第２レンズ群Ｂ２の負の屈折力を強くし、高ズーム比でありながら、少ない移動量で高変倍するようにしている。このとき、第２レンズ群Ｂ２の負の屈折力を強くすると、第２レンズ群Ｂ２中での収差補正が困難となるが、第２レンズ群Ｂ２を物体側から像側へ順に負レンズを３枚用いて第２レンズ群Ｂ２の屈折力を適切にしている。これにより、高ズーム比と高性能化を図っている。
【００１９】
以下に第２レンズ群Ｂ２のレンズ構成の技術的な意味を説明する。第２レンズ群Ｂ２は物体側より像側へ順に負レンズ（負の屈折力を有するレンズ）、負レンズ、負レンズ、正レンズから構成されている。変倍比（ズーム比）を増大させるために第２レンズ群Ｂ２の負の屈折力を強くすると、ペッツバール和が負の方向に大きくなり、像面湾曲が大きくなる。また、広角端から望遠端に至るズーミングにおいて、コマ収差や非点収差が大きく変動し、その収差補正が困難となる。そのために第２レンズ群Ｂ２に負レンズを３枚用いて、各レンズの分担を少なくし、ペッツバール和の低減を図っている。また、３つの負レンズを物体側に配置することで、第２レンズ群Ｂ２の主点の位置を物体側へ近づけて、第１レンズ群Ｂ１と第２レンズ群Ｂ２の主点間隔を短くしている。これにより、第１レンズ群Ｂ１を開口絞りＳＰに近づけることができ、第１レンズ群Ｂ１の有効径を決めている軸外光束の第１レンズ群Ｂ１を通過する光軸からの高さを低くすることができる。そして、広角端における画角を広くしながら第１レンズ群Ｂ１を小型にしている。尚、第２レンズ群Ｂ２は、１面以上の非球面を含むことが収差補正上好ましい。これによれば、広角端から望遠端に至るズーミングにおける非点収差の変動と、広画角化により増大しやすい広角端における歪曲収差を良好に補正することが容易となる。
【００２０】
各実施例において第１レンズ群Ｌ１は物体側より像側へ順に、負レンズ、正レンズ、正レンズ、正レンズより成っている。具体的には第１レンズ群Ｌ１は物体側から像側へ順に、負レンズＧ１１、両凸形状の正レンズＧ１２、物体側が凸面の正レンズＧ１３、物体側が凸面でメニスカス形状の正レンズＧ１４より成っている。第３レンズ群Ｂ３の全部または一部のレンズ群を光軸に対して垂直方向の成分を持つように移動させて、被写体像の像位置を変位させて撮像装置が振動したときに生ずる画像ブレを補正している。第３レンズ群はズーミング時に像面に対して固定されているため、第３レンズ群Ｂ３の全部または一部のレンズ群を光軸に対して垂直方向の成分を持つように移動させる機構を備えることが容易となる。第３レンズ群Ｂ１は１面以上の非球面を含むようにしている。第３レンズ群Ｂ３は、特に広角端において軸上の光線束が高い位置を通過し、球面収差やコマ収差が大きく発生する。そこで、非球面を導入することでより効果的に収差補正を行うことが容易となる。第３レンズ群Ｂ３は両面が非球面形状のレンズを有するように構成している。第３レンズ群Ｂ３は、ズーム中間域において軸外の光線束が高い位置を通過し、非点収差や像面湾曲が大きく発生する。そこで、非球面を導入することでより効果的に収差補正を行うことが容易となる。さらに両面を非球面形状とすることで、非球面レンズの枚数を増加させることなく、上述した広角端での収差補正とズーム中間域での収差補正を同時に行うのが容易になる。
【００２１】
第４レンズ群Ｂ４は、物体側から像側へ順に、正レンズ、負レンズと正レンズとを接合した接合レンズを有している。１面以上の非球面を含み、フォーカス動作を行う。このレンズ構成とすることで、フォーカス動作の際に発生する収差変動を良好に補正している。第４レンズ群Ｂ４は両面が非球面形状のレンズを有するように構成している。第４レンズ群Ｂ４は、望遠端において軸外の光線束が高い位置を通過し、非点収差や像面湾曲が大きく発生する。そこで、非球面を導入することでより効果的に収差補正を行うことが容易となる。さらに両面を非球面とすることで、非球面レンズの枚数を増加させることなく、上述したフォーカス動作時の収差変動の補正と、望遠端での収差補正を同時に行うのが容易になる。特に第４レンズ群Ｂ４は物体側に正レンズを、像側に負レンズと正レンズとを接合した接合レンズを有するようにしている。具体的には、第４レンズ群Ｂ４は、物体側から像側へ順に、両凸形状の正レンズ、像側が凹面でメニスカス形状の負レンズと物体側が凸面の正レンズとを接合した接合レンズより成っている。これによってフォーカスの際の収差変動が少なくなるようにしている。各実施例において、第２レンズ群Ｂ２の焦点距離をｆ２、広角端と望遠端における全系の焦点距離を各々ｆｗ、ｆｔとする。このとき
【００２２】
【数２】
2010256845.tif 000004
【００２３】
なる条件を満足している。
【００２４】
条件式（１）は、ズーミングにおける第２レンズ群Ｂ２の変倍力と収差補正の作用に関する。この条件式（１）の下限を下回る場合には、ズーム全域での像面変動、倍率色収差の変動が大きくなり、高い光学性能を維持することが困難となる。また、上限を上回る場合、ズーミングの際に第２レンズ群Ｂ２の移動量が大きくなり小型化が困難となる。高ズーム比化（高変倍比）を実現しつつ、広角端から望遠端に至るズーミング時における像面変動を更に良好に抑えるために条件式（１）の数値範囲は以下の条件式（１ａ）を満足することがより好ましい。
【００２５】
【数３】
2010256845.tif 000005
【００２６】
以上の構成により、広画角、高ズーム比で全ズーム範囲にわたり高い光学性能を有するズームレンズを得ることができる。各実施例において更に好ましくは次の諸条件のうちの１以上を満足するのが良い。第２レンズ群Ｂ２の１つの負レンズの材料の屈折率をＮ２Ｎ、１つの正レンズの材料のアッベ数をν２Ｐとする。第１レンズ群Ｂ１の焦点距離をｆ１、望遠端における全系の焦点距離をｆｔとする。第１レンズ群Ｂ１のうちの１つの正レンズの材料のアッベ数をＶ１Ａ、他の１つの正レンズの材料のアッベ数をＶ１Ｂとする。このとき、
１．８５＜Ｎ２Ｎ              ‥‥‥（２）
ν２Ｐ＜２２                  ‥‥‥（３）
０．７＜ｆ１／ｆｔ＜１．０    ‥‥‥（４）
６５＜Ｖ１Ａ＜７５            ‥‥‥（５）
７０＜Ｖ１Ｂ                  ‥‥‥（６）
なる条件のうち１以上を満足するのが良い。
【００２７】
条件式（２）は第２レンズ群Ｂ２の負レンズにおける硝材の屈折率の好ましい範囲を規定するものである。条件式（２）の範囲を下回ると、第２レンズ群Ｂ２における負レンズの硝材の屈折率が低下し、硝材の屈折率を下げながら同等の屈折力を得るためには、曲率半径を小さくする必要がある。負レンズの曲率半径が小さくなると、レンズのコバを含めた体積が増加し、重量が増加してしまう。第２レンズ群Ｂ２はズーミングの際、光軸方向に移動するため、重量を可能なかぎり減少させることがズーミング動作の速度、ズーミング操作に対する追従性や操作感の観点から望ましい。さらに、第２レンズ群Ｂ２内の負レンズの曲率半径を大きくさせ、重量を減少させるには、条件式（２）の数値を以下の条件式（２ａ）を満足することがより好ましい。
【００２８】
１．９５＜  Ｎ２１    ‥‥‥（２ａ）
条件式（２ａ）を満足することで、第２レンズ群Ｂ２において最も体積の大きくなる第２レンズ群Ｂ２内の最も物体側のレンズの曲率を大きくすることができ、体積減少及び重量の削減に対してより好ましい。
【００２９】
条件式（３）は、第２レンズ群Ｂ２の正レンズにおける硝材のアッベ数の好ましい範囲を規定するものである。条件式（３）の範囲を上回ると、広角端における倍率色収差が増加する。また、望遠端における軸上色収差が増加してしまい高性能を実現することが難しい。さらに広角端における倍率色収差を低減させ、望遠端おける軸上色収差を低減させるには、条件式（３）の数値を以下の条件式（３ａ）とするとさらに好ましい。
【００３０】
Ｖ２Ｐ＜２１    ‥‥‥（３ａ）
高性能を維持しつつ、高ズーム比を達成するために、第１レンズ群Ｂ１は負レンズ、正レンズ、正レンズ、正レンズの４枚構成とすることが好ましい。この際、第１レンズ群Ｂ１の焦点距離ｆ１は条件式（４）を満たすことが好ましい。
【００３１】
条件式（４）は、第１レンズ群Ｂ１のパワー（屈折力）に関する好ましい範囲を、望遠端における全系の焦点距離との比で規定している。この条件式（４）の下限を越えると、第１レンズ群Ｂ１のパワーが強くなりすぎ、第１レンズ群Ｂ１での収差の発生量が大きくなり、特に像面湾曲と非点収差が大きく発生してしまう。これらの収差を良好に補正するためには、レンズ枚数を増加したり、非球面を追加したりすることが必要となってくる。逆に、条件式（４）の上限を越えると、収差補正上は有利だが、第１レンズ群Ｂ１の有効径が増大してしまい好ましくない。条件式（４）の数値範囲は以下の条件式（４ａ）の数値範囲とするとさらに好ましい。
【００３２】
０．７５＜ｆ１／ｆｔ＜９．５    ‥‥‥（４ａ）
条件式（５）および（６）は第１レンズ群Ｂ１におけるいずれかの正レンズにおける硝材のアッベ数の好ましい範囲を定義するものである。条件式（５）および（６）の下限値を下回ると、望遠端における倍率色収差および軸上色収差を良好に補正することが困難となる。また、これらの条件式（５）、（６）を上回り低分散の硝材を利用すると、屈折率も低くなってしまい、球面収差の補正が困難となってくる。
【００３３】
条件式（５）、（６）の数値範囲は以下の条件式（５ａ）、（６ａ）の数値範囲とするとさらに好ましい。
【００３４】
６７＜Ｖ１Ａ＜７２        ‥‥‥（５ａ）
７０．１＜Ｖ１Ｂ          ‥‥‥（６ａ）
各実施例では、以上のように構成することで、広角端での画角２ωを７１．２度〜７３度と広画角にしつつ、１８倍〜２０倍と高ズーム比でありながら高性能なズームレンズを実現している。尚、各実施例において、第１レンズ群Ｌ１の物体側や第４レンズ群Ｌ４の像側に屈折力の小さなレンズ群を付加しても良い。又、テレコンバーターレンズやワイドコンバーターレンズ等を物体側や像側に配置しても良い。
【００３５】
以下に、実施例１〜８に各々対応する数値実施例１〜８を示す。各数値実施例において、ｉは物体側からの面の順番を示し、ｒｉは第ｉ番目（第ｉ面）の曲率半径、ｄｉは第ｉ＋１面との間の間隔、ｎｄｉ、νｄｉはそれぞれｄ線を基準とした第ｉ番目の光学部材の材料の屈折率、アッベ数を示す。また、数値実施例１〜８では最も像側の６つの面は光学ブロックに相当する平面である。非球面形状は光軸からの高さＨの位置での光軸方向の変位を面頂点を基準にしてＸとする。光の進行方向を正としＲを近軸曲率半径、ｋを円錐定数、Ａ３〜Ａ１３を各々非球面係数とする。このとき
【００３６】
【数４】
2010256845.tif 000006
【００３７】
なる式で表している。なお、各実施例においてＡ３〜Ａ１３のうち記載が無い項は０であることを示す。＊は非球面形状を有する面を意味している。「ｅ−ｘ」は１０−ｘを意味している。ＢＦはバックフォーカスである。又、前述の各条件式と数値実施例における諸数値との関係を表−１に示す。
【００３８】
［数値実施例１］
単位 mm
面データ
面番号       r        d      nd         νd
1        318.471    3.20   1.84666    23.9           
2         79.665    1.88                             
3        105.168    7.87   1.59319    67.9           
4       -443.202    0.20                             
5         60.442    8.61   1.49700    81.5           
6        457.728    0.20                             
7         52.824    4.55   1.83481    42.7           
8        112.737  (可変)                             
9         65.502    1.15   2.00069    25.5           
10         10.807    3.90                             
11        105.788    1.00   1.86400    40.6           
12*        31.349    2.41                             
13        -26.972    0.85   1.77250    49.6           
14         35.658    1.19                             
15         31.147    3.10   1.94595    18.0           
16        -55.157  (可変)                             
17(絞り)    ∞       2.73                             
18         94.677    0.80   1.88300    40.8           
19         15.502    4.20   1.84666    23.9           
20        -25.424    0.14                             
21        -22.315    0.80   2.00330    28.3           
22         65.817    4.75                             
23*        47.103    3.60   1.58313    59.4           
24*       -26.350    0.20                             
25       -204.574    2.00   1.48749    70.2           
26        -34.181    0.80   1.80518    25.4           
27       -236.092  (可変)                             
28*        30.446    3.60   1.58313    59.4           
29*       -47.912    0.20                             
30         89.803    0.90   1.92286    18.9           
31         29.082    3.50   1.51633    64.1           
32        -37.022  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.5                             
像面        ∞   
非球面データ
第12面
K =-1.50514e+001  A 4= 6.00285e-005  A 6=-1.50604e-007  A 8=-1.01899e-009  A10= 2.69112e-011  A12= 4.79984e-014  
第23面
K = 6.02208e+000  
A 3= 1.77478e-005  A 5=-2.17672e-006  A 7=-5.57323e-009  A 9= 2.05066e-010  A11=-1.17497e-012  
第24面
K =-4.79881e+000  
A 3= 5.67317e-006  A 5=-3.80459e-006  A 7= 2.38819e-008  A 9=-8.23521e-011  
第28面
K = 6.00573e-003  A 4= 1.94847e-005  A 6=-2.31853e-007  A 8= 1.72707e-009  A10= 2.04797e-011  
第29面
K =-7.31653e+000  A 4= 3.06179e-005  A 6=-2.22436e-007  A 8= 1.98088e-009  A10= 2.07228e-011  
各種データ
ズーム比     17.69 
焦点距離       4.10    21.91    72.53     7.53    40.89     5.87  
Fナンバー      1.66     2.34     2.88     1.81     2.65     1.72  
画角          36.46     7.87     2.39    21.92     4.24    27.30  
像高           3.03     3.03     3.03     3.03     3.03     3.03  
レンズ全長   153.32   153.32   153.32   153.32   153.32   153.32  
BF            22.83    26.34    23.78    24.23    26.26    23.65  
d 8            0.77    35.08    46.52    16.78    41.94    10.84  
d16           48.62    14.31     2.88    32.61     7.45    38.55  
d27           12.77     9.27    11.82    11.37     9.34    11.95  
d32            5.81     9.32     6.77     7.21     9.25     6.63  
ズームレンズ群データ
群  始面    焦点距離  
1    1      66.28  
2    9     -10.96  
3   17     108.04  
4   28      25.23  
5   33       ∞    
【００３９】
［数値実施例２］
単位 mm
面データ
面番号       r        d      nd         νd
1        301.174    3.20   1.84666    23.9           
2         80.298    1.68                             
3        103.728    7.87   1.59319    67.9           
4       -426.609    0.20                             
5         59.636    8.61   1.49700    81.5           
6        453.779    0.20                             
7         53.838    4.55   1.83481    42.7           
8        109.172  (可変)                             
9         63.931    1.15   2.00069    25.5           
10         10.905    3.88                             
11        110.681    1.00   1.86400    40.6           
12*        30.264    2.64                             
13        -26.486    0.85   1.77250    49.6           
14         39.205    0.85                             
15         30.538    3.10   1.94595    18.0           
16        -55.676  (可変)                             
17(絞り)    ∞       2.73                             
18         90.027    0.80   1.88300    40.8           
19         15.533    4.20   1.84666    23.9           
20        -25.123    0.13                             
21        -22.301    0.80   2.00330    28.3           
22         65.433    4.75                             
23*        46.951    3.60   1.58313    59.4           
24*       -26.833    0.20                             
25       -211.791    2.00   1.48749    70.2           
26        -34.814    0.80   1.80518    25.4           
27       -237.687  (可変)                             
28*        30.529    3.60   1.58313    59.4           
29*       -48.824    0.20                             
30         90.537    0.90   1.92286    18.9           
31         28.913    3.50   1.51633    64.1           
32        -37.602  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.5                             
像面        ∞   
非球面データ
第12面
K =-1.10481e+001  A 4= 5.68929e-005  A 6=-9.31431e-008  A 8= 1.95577e-009  A10=-4.65699e-012  A12= 5.82349e-014  
第23面
K = 4.57308e+000  
A 3= 2.12129e-005  A 5=-2.14454e-006  A 7=-3.25410e-009  A 9= 1.69980e-010  A11=-9.80470e-013  
第24面
K =-4.86060e+000  
A 3= 4.33522e-006  A 5=-3.73578e-006  A 7= 2.22220e-008  A 9=-7.12145e-011  
第28面
K = 9.24307e-003  A 4= 1.95898e-005  A 6=-2.24315e-007  A 8= 1.90519e-009  A10= 2.03321e-011  
第29面
K =-7.30540e+000  A 4= 3.01647e-005  A 6=-2.05498e-007  A 8= 2.01927e-009  A10= 2.15171e-011  
各種データ
ズーム比     19.97 
焦点距離       4.23    23.76    84.42     7.87    45.67     6.10  
Fナンバー      1.66     2.34     2.88     1.81     2.65     1.72  
画角          35.62     7.26     2.05    21.05     3.79    26.42  
像高           3.03     3.03     3.03     3.03     3.03     3.03  
レンズ全長   153.18   153.18   153.18   153.18   153.18   153.18  
BF            22.99    26.73    23.00    24.49    26.44    23.87  
d 8            0.84    35.65    47.26    17.09    42.62    11.05  
d16           48.81    14.00     2.39    32.57     7.04    38.60  
d27           12.54     8.80    12.53    11.04     9.09    11.66  
d32            5.97     9.71     5.98     7.47     9.42     6.85  
ズームレンズ群データ
群  始面    焦点距離  
1    1      66.86  
2    9     -10.93  
3   17     102.62  
4   28      25.61  
5   33       ∞    
【００４０】
［数値実施例３］
単位 mm
面データ
面番号       r        d      nd         νd
1        257.553    3.20   1.84666    23.9           
2         75.460    1.80                             
3         98.141    7.87   1.59319    67.9           
4       -517.013    0.20                             
5         57.573    8.61   1.49700    81.5           
6        509.292    0.20                             
7         53.115    4.55   1.83481    42.7           
8        109.311  (可変)                             
9         61.257    1.15   2.00069    25.5           
10         10.982    3.73                             
11        130.593    1.00   1.86400    40.6           
12*        30.364    2.63                             
13        -25.150    0.85   1.77250    49.6           
14         34.876    0.93                             
15         29.694    3.10   1.94595    18.0           
16        -57.648  (可変)                             
17(絞り)    ∞       2.73                             
18         90.811    0.80   1.88300    40.8           
19         16.089    4.20   1.84666    23.9           
20        -25.134    0.14                             
21        -22.223    0.80   2.00330    28.3           
22         67.969    4.75                             
23*        45.853    3.60   1.58313    59.4           
24*       -26.791    0.20                             
25       -256.997    2.00   1.48749    70.2           
26        -35.306    0.80   1.80518    25.4           
27       -289.904  (可変)                             
28*        29.980    3.60   1.58313    59.4           
29*       -50.804    0.20                             
30         92.305    0.90   1.92286    18.9           
31         29.627    3.50   1.51633    64.1           
32        -38.608  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.5                             
像面        ∞   
非球面データ
第12面
K =-1.00626e+001  A 4= 5.60683e-005  A 6= 5.44198e-008  A 8= 1.70480e-009  A10= 1.47104e-012  A12= 8.12086e-014  
第23面
K = 2.75906e+000  
A 3= 2.12208e-005  A 5=-1.94863e-006  A 7=-2.10172e-009  A 9= 2.24105e-010  A11=-1.06411e-012  
第24面
K =-5.16339e+000  
A 3=-5.55811e-006  A 5=-4.10860e-006  A 7= 2.88620e-008  A 9=-5.54895e-011  
第28面
K =-1.49495e-001  A 4= 2.25754e-005  A 6=-2.26712e-007  A 8= 2.91457e-009  A10= 2.14405e-011  
第29面
K =-8.07409e+000  A 4= 3.33734e-005  A 6=-2.26516e-007  A 8= 3.29579e-009  A10= 2.28830e-011  
各種データ
ズーム比     19.99 
焦点距離       4.23    23.70    84.49     7.86    45.58     6.09  
Fナンバー      1.66     2.34     2.88     1.81     2.65     1.72  
画角          35.62     7.28     2.05    21.08     3.80    26.44  
像高           3.03     3.03     3.03     3.03     3.03     3.03  
レンズ全長   151.78   151.78   151.78   151.78   151.78   151.78  
BF            23.03    26.93    23.18    24.59    26.68    23.94  
d 8            0.86    34.22    45.34    16.43    40.90    10.65  
d16           47.18    13.82     2.70    31.61     7.15    37.39  
d27           12.67     8.76    12.52    11.11     9.02    11.75  
d32            6.01     9.91     6.16     7.57     9.66     6.92  
ズームレンズ群データ
群  始面    焦点距離  
1    1      64.59  
2    9     -10.40  
3   17      96.54  
4   28      25.80  
5   33       ∞    
【００４１】
［数値実施例４］
単位 mm
面データ
面番号       r        d      nd         νd
1        291.874    3.20   1.84666    23.9           
2         79.033    1.76                             
3        103.670    7.87   1.56907    71.3           
4       -412.090    0.20                             
5         60.396    8.61   1.48749    70.2           
6        561.360    0.20                             
7         52.623    4.55   1.80400    46.6           
8        114.825  (可変)                             
9         69.010    1.15   2.00330    28.3           
10         10.931    3.98                             
11        183.808    1.00   1.68540    52.3           
12*        31.930    2.77                             
13        -26.408    0.85   1.77250    49.6           
14         32.238    1.04                             
15         30.422    3.10   1.92286    20.9           
16        -46.949  (可変)                             
17(絞り)    ∞       2.73                             
18         91.135    0.80   1.88300    40.8           
19         14.972    4.20   1.84666    23.9           
20        -24.965    0.13                             
21        -22.170    0.80   2.00330    28.3           
22         64.950    4.75                             
23*        47.027    3.60   1.58313    59.4           
24*       -26.551    0.20                             
25       -272.373    2.00   1.48749    70.2           
26        -35.000    0.80   1.80518    25.4           
27       -244.903  (可変)                             
28*        30.954    3.60   1.58313    59.4           
29*       -48.512    0.20                             
30         90.035    0.90   1.92286    18.9           
31         28.177    3.50   1.51633    64.1           
32        -37.122  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.5                             
像面        ∞   
非球面データ
第12面
K =-1.26122e+001  A 4= 4.65958e-005  A 6=-1.16363e-007  A 8= 1.22752e-009  A10= 3.93733e-012  A12= 4.06006e-014  
第23面
K = 3.81596e+000  
A 3= 1.60154e-005  A 5=-1.98853e-006  A 7=-3.42790e-009  A 9= 1.79254e-010  A11=-1.01638e-012  
第24面
K =-5.12512e+000  
A 3=-9.64898e-006  A 5=-3.88306e-006  A 7= 2.43664e-008  A 9=-7.74172e-011  
第28面
K = 1.80601e-001  A 4= 2.10564e-005  A 6=-2.25859e-007  A 8= 2.18844e-009  A10= 1.83482e-011  
第29面
K =-7.91050e+000  A 4= 3.14150e-005  A 6=-2.10237e-007  A 8= 2.36593e-009  A10= 1.93470e-011  
各種データ
ズーム比     17.98 
焦点距離       4.23    22.74    75.98     7.78    42.57     6.06  
Fナンバー      1.66     2.34     2.88     1.81     2.65     1.72  
画角          35.63     7.59     2.28    21.28     4.07    26.57  
像高           3.03     3.03     3.03     3.03     3.03     3.03  
レンズ全長   152.90   152.90   152.90   152.90   152.90   152.90  
BF            22.85    26.38    23.45    24.28    26.21    23.69  
d 8            0.86    35.32    46.81    16.94    42.22    10.97  
d16           48.52    14.06     2.57    32.44     7.17    38.41  
d27           12.17     8.63    11.56    10.74     8.81    11.33  
d32            5.83     9.37     6.44     7.26     9.19     6.67  
ズームレンズ群データ
群  始面    焦点距離  
1    1      66.56  
2    9     -11.13  
3   17      98.38  
4   28      25.80  
5   33       ∞    
【００４２】
［数値実施例５］
単位 mm
面データ
面番号       r        d      nd         νd
1        279.602    3.20   1.84666    23.9           
2         78.619    1.80                             
3        103.422    7.85   1.59319    67.9           
4       -481.133    0.20                             
5         58.971    8.60   1.49700    81.5           
6        500.860    0.20                             
7         54.232    4.55   1.83481    42.7           
8        110.949  (可変)                             
9         68.002    1.15   2.00069    25.5           
10         10.980    3.85                             
11        125.053    1.00   1.85135    40.1           
12*        29.719    2.67                             
13        -26.734    0.85   1.77250    49.6           
14         41.825    0.84                             
15         31.046    3.10   1.94595    18.0           
16        -54.861  (可変)                             
17(絞り)    ∞       2.73                             
18         89.460    0.80   1.88300    40.8           
19         15.461    4.20   1.84666    23.9           
20        -25.269    0.14                             
21        -22.185    0.80   2.00330    28.3           
22         66.393    4.75                             
23*        46.529    3.60   1.58313    59.4           
24*       -26.933    0.20                             
25       -203.745    2.00   1.48749    70.2           
26        -34.732    0.80   1.80518    25.4           
27       -229.502  (可変)                             
28*        30.580    3.60   1.58313    59.4           
29*       -48.480    0.20                             
30         90.028    0.90   1.92286    18.9           
31         28.776    3.50   1.51633    64.1           
32        -37.052  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.5                             
像面        ∞   
非球面データ
第12面
K =-2.09315e+001  A 4= 1.06195e-004  A 6=-8.10904e-007  A 8= 7.60130e-009  A10= 3.21857e-012  A12=-2.83689e-013  
第23面
K = 2.10328e+000  
A 3= 2.06948e-005  A 5=-1.91231e-006  A 7=-8.07340e-010  A 9= 1.89205e-010  A11=-1.20487e-012  
第24面
K =-4.75167e+000  
A 3= 8.42353e-007  A 5=-3.97374e-006  A 7= 2.93971e-008  A 9=-1.04352e-010  
第28面
K = 9.42037e-002  A 4= 1.84021e-005  A 6=-2.55342e-007  A 8= 3.04586e-009  A10= 1.12969e-011  
第29面
K =-6.51874e+000  A 4= 3.09390e-005  A 6=-2.38880e-007  A 8= 3.19270e-009  A10= 1.17773e-011  
各種データ
ズーム比     17.91 
焦点距離       4.23    22.82    75.72     7.78    42.69     6.06  
Fナンバー      1.66     2.34     2.88     1.81     2.65     1.72  
画角          35.63     7.56     2.29    21.26     4.06    26.55  
像高           3.03     3.03     3.03     3.03     3.03     3.03  
レンズ全長   152.79   152.79   152.79   152.79   152.79   152.79  
BF            22.93    26.58    23.76    24.39    26.46    23.79  
d 8            0.86    35.06    46.46    16.82    41.90    10.89  
d16           48.35    14.15     2.75    32.39     7.31    38.31  
d27           12.58     8.93    11.75    11.12     9.05    11.73  
d32            5.91     9.57     6.75     7.37     9.45     6.77  
ズームレンズ群データ
群  始面    焦点距離  
1    1      66.58  
2    9     -10.95  
3   17     103.50  
4   28      25.47  
5   33       ∞    
【００４３】
［数値実施例６］
単位 mm
面データ
面番号       r        d      nd         νd
1        307.127    3.20   1.84666    23.9           
2         80.730    1.62                             
3        103.464    7.87   1.59319    67.9           
4       -418.544    0.20                             
5         59.873    8.61   1.49700    81.5           
6        461.724    0.20                             
7         53.960    4.55   1.83481    42.7           
8        108.675  (可変)                             
9         67.704    1.15   2.00069    25.5           
10         10.773    3.90                             
11        118.914    1.00   1.86400    40.6           
12*        30.368    2.35                             
13        -29.183    0.85   1.77250    49.6           
14         34.470    0.82                             
15         28.050    3.10   1.94595    18.0           
16        -59.267  (可変)                             
17(絞り)    ∞       2.73                             
18         90.514    0.80   1.88300    40.8           
19         19.387    4.20   1.84666    23.9           
20        -15.123    0.80   2.00330    28.3           
21         66.532    4.75                             
22*        46.280    3.60   1.58313    59.4           
23*       -26.723    0.20                             
24       -196.513    2.00   1.48749    70.2           
25        -34.768    0.80   1.80518    25.4           
26       -243.969  (可変)                             
27*        30.593    3.60   1.58313    59.4           
28*       -49.603    0.20                             
29         90.903    0.90   1.92286    18.9           
30         28.594    3.50   1.51633    64.1           
31        -37.301  (可変)                             
32          ∞       0.80   1.52420    60.0           
33          ∞       2.43   1.54400    70.0           
34          ∞       1.50                             
35          ∞      20.00   1.58913    61.1           
36          ∞       0.50   1.49831    65.1           
37          ∞       0.5                             
像面        ∞   
非球面データ
第12面
K =-1.17018e+001  A 4= 5.69177e-005  A 6=-1.25418e-007  A 8= 1.94051e-009  A10=-4.76668e-012  A12= 7.87486e-014  
第22面
K = 4.27644e+000  
A 3= 2.58441e-005  A 5=-2.30847e-006  A 7=-2.27160e-009  A 9= 1.69565e-010  A11=-1.00008e-012  
第23面
K =-5.05413e+000  
A 3= 8.16476e-006  A 5=-3.93873e-006  A 7= 2.47640e-008  A 9=-8.25429e-011  
第27面
K =-1.66915e-001  A 4= 2.04977e-005  A 6=-2.14663e-007  A 8= 1.90469e-009  A10= 2.10665e-011  
第28面
K =-7.57115e+000  A 4= 3.00478e-005  A 6=-2.02311e-007  A 8= 2.17514e-009  A10= 2.12527e-011  
各種データ
ズーム比     19.98 
焦点距離       4.23    23.73    84.44     7.86    45.63     6.09  
Fナンバー      1.66     2.34     2.88     1.81     2.65     1.72  
画角          35.62     7.28     2.05    21.07     3.80    26.43  
像高           3.03     3.03     3.03     3.03     3.03     3.03  
レンズ全長   152.92   152.92   152.92   152.92   152.92   152.92  
BF            22.51    26.31    22.69    24.03    26.07    23.40  
d 8            0.89    35.83    47.47    17.19    42.81    11.14  
d16           49.06    14.12     2.48    32.76     7.14    38.81  
d26           12.95     9.15    12.77    11.43     9.39    12.06  
d31            5.49     9.29     5.67     7.01     9.05     6.38  
ズームレンズ群データ
群  始面    焦点距離  
1    1      67.08  
2    9     -10.88  
3   17      91.54  
4   27      25.80  
5   32       ∞    
【００４４】
［数値実施例７］
単位 mm
面データ
面番号       r        d      nd         vd
1        226.284    3.00   1.84666    23.9           
2         71.021    1.34                             
3         89.027    7.87   1.59319    67.9           
4       -568.836    0.20                             
5         53.728    8.61   1.49700    81.5           
6        579.078    0.20                             
7         49.831    4.55   1.83481    42.7           
8         97.586  (可変)                             
9        137.274    1.15   2.00069    25.5           
10         11.435    3.72                             
11        105.887    1.00   1.86400    40.6           
12*        24.086    2.68                             
13        -36.643    0.85   1.77250    49.6           
14         34.414    1.11                             
15         29.286    3.10   1.94595    18.0           
16        -61.107  (可変)                             
17(絞り)    ∞       2.73                             
18         99.257    0.80   1.88300    40.8           
19         14.675    4.20   1.84666    23.9           
20        -24.423    0.12                             
21        -21.964    0.80   2.00330    28.3           
22         63.452    4.75                             
23*        47.331    3.60   1.58313    59.4           
24*       -25.969    0.20                             
25       -150.820    2.00   1.48749    70.2           
26        -31.447    0.80   1.80518    25.4           
27       -151.578  (可変)                             
28*        31.694    3.60   1.58313    59.4           
29*       -44.157    0.20                             
30         81.993    0.90   1.92286    18.9           
31         27.616    3.50   1.51633    64.1           
32        -38.896  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞     (可変)                             
像面        ∞   
非球面データ
第12面
K =-6.32778e+000  A 4= 5.08166e-005  A 6=-1.39488e-007  A 8= 1.00493e-009  A10= 6.98611e-012  A12=-7.19687e-014  
第23面
K = 4.97293e+000  
A 3= 1.91897e-005  A 5=-2.33419e-006  A 7= 4.62859e-009  A 9= 1.96521e-010  A11=-1.27217e-012  
第24面
K =-4.13196e+000  
A 3=-7.07759e-006  A 5=-3.18077e-006  A 7= 1.82115e-008  A 9= 1.44327e-013  
第28面
K =-2.25949e-001  A 4= 5.64041e-006  A 6=-1.36625e-007  A 8= 7.85093e-010  A10= 3.21153e-012  
第29面
K =-8.72366e+000  A 4= 1.22591e-005  A 6=-1.41122e-007  A 8= 1.11956e-009  A10= 1.31947e-012  
各種データ
ズーム比     18.00 
焦点距離       4.10    17.31    73.79       
Fナンバー      1.66     2.34     2.88      
画角          36.46     9.92     2.35     
像高           3.03     3.03     3.03  
レンズ全長   155.62   147.37   150.40     
BF            22.74    26.41    22.87    
d 8            1.08    27.13    41.04     
d16           48.80    14.49     3.62    
d27           15.43    11.77    15.31    
d32            5.73     9.39     5.85     
d38            0.50     0.50     0.50     
ズームレンズ群データ
群  始面    焦点距離  
1    1      60.42  
2    9     -10.53  
3   17     106.85  
4   28      25.28  
5   33       ∞    
【００４５】
［数値実施例８］
単位 mm
面データ
面番号       r        d      nd         vd
1        219.039    3.00   1.84666    23.9           
2         71.465    1.24                             
3         87.811    7.87   1.59319    67.9           
4       -605.893    0.20                             
5         53.996    8.61   1.49700    81.5           
6        533.542    0.20                             
7         50.493    4.55   1.83481    42.7           
8         96.260  (可変)                             
9        141.304    1.15   2.00069    25.5           
10         11.445    3.76                             
11        119.510    1.00   1.86400    40.6           
12*        24.011    2.71                             
13        -36.665    0.85   1.77250    49.6           
14         36.883    1.02                             
15         29.528    3.10   1.94595    18.0           
16        -60.674  (可変)                             
17(絞り)    ∞       2.73                             
18        100.310    0.80   1.88300    40.8           
19         14.643    4.20   1.84666    23.9           
20        -24.417    0.12                             
21        -21.969    0.80   2.00330    28.3           
22         62.953    4.75                             
23*        47.261    3.60   1.58313    59.4           
24*       -26.076    0.20                             
25       -153.682    2.00   1.48749    70.2           
26        -31.652    0.80   1.80518    25.4           
27       -151.624  (可変)                             
28*        31.731    3.60   1.58313    59.4           
29*       -44.433    0.20                             
30         82.343    0.90   1.92286    18.9           
31         27.717    3.50   1.51633    64.1           
32        -38.886  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞     (可変)                             
像面        ∞   
非球面データ
第12面
K =-6.23058e+000  A 4= 5.19381e-005  A 6=-1.26459e-007  A 8= 9.77636e-010  A10= 6.26993e-012  A12=-6.55827e-014  
第23面
K = 4.17514e+000  
A 3= 2.14981e-005  A 5=-2.24947e-006  A 7= 4.43910e-009  A 9= 1.97074e-010  A11=-1.24453e-012  
第24面
K =-4.08456e+000  
A 3=-5.05858e-006  A 5=-3.17133e-006  A 7= 1.83882e-008  A 9=-2.77282e-013  
第28面
K =-1.69139e-001  A 4= 5.39779e-006  A 6=-1.37340e-007  A 8= 7.97250e-010  A10= 4.40405e-012  
第29面
K =-8.67804e+000  A 4= 1.22870e-005  A 6=-1.40391e-007  A 8= 1.09961e-009  A10= 2.79043e-012  
各種データ
ズーム比     19.99 
焦点距離       4.13    17.19    82.63      
Fナンバー      1.66     2.34     2.88      
画角          36.24    10.00     2.10      
像高           3.03     3.03     3.03  
レンズ全長   155.35   147.44   150.69     
BF            22.89    26.59    22.25    
d 8            1.21    27.33    42.23     
d16           48.58    14.55     2.90    
d27           15.21    11.51    15.85    
d32            5.87     9.57     5.24     
d38            0.50     0.50     0.50     
ズームレンズ群データ
群  始面    焦点距離  
1    1      61.43  
2    9     -10.53  
3   17     108.23  
4   28      25.34  
5   33       ∞    
【００４６】
【表１】
2010256845.tif 000007
【００４７】
次に本発明のズームレンズを撮影光学系として用いたビデオカメラの実施例を図１７を用いて説明する。図１７において、１０はビデオカメラ本体、１１は本発明のズームレンズによって構成された撮影光学系である。１２は撮影光学系１１によって形成された被写体像を受光するＣＣＤセンサやＣＭＯＳセンサ等の固体撮像素子（光電変換素子）である。１３は撮像素子１２によって光電変換された被写体像に対応する情報を記憶するメモリ、１４は不図示の表示素子によって表示された被写体像を観察するためのファインダーである。このように本発明のズームレンズをビデオカメラ等の撮像装置に適用することにより、小型で高い光学性能を有する撮像装置が実現できる。尚、本発明のズームレンズはデジタルスチルカメラにも同様に適用することができる。
【符号の説明】
【００４８】
Ｂ１  第１レンズ群
Ｂ２  第２レンズ群
Ｂ３  第３レンズ群
Ｂ４  第４レンズ群
ＳＰ  絞り
ＩＰ  結像面
Ｇ  ＣＣＤのフォースプレートやローパスフィルター等のガラスブロック
球面収差  実線：ｄ線
２点鎖線  ｇ線
非点収差  実線：ｄ線サジタル像面
点線  ｄ線メリディオナル像面
歪曲  ｄ線
倍率色収差  ２点鎖線：ｇ線
【図１】
2010256845.tif 000010
【図２】
2010256845.tif 000011
【図３】
2010256845.tif 000012
【図４】
2010256845.tif 000013
【図５】
2010256845.tif 000014
【図６】
2010256845.tif 000015
【図７】
2010256845.tif 000016
【図８】
2010256845.tif 000017
【図９】
2010256845.tif 000018
【図１０】
2010256845.tif 000019
【図１１】
2010256845.tif 000020
【図１２】
2010256845.tif 000021
【図１３】
2010256845.tif 000022
【図１４】
2010256845.tif 000023
【図１５】
2010256845.tif 000024
【図１６】
2010256845.tif 000025
【図１７】
2010256845.tif 000026
【手続補正書】
【提出日】平成22年8月26日(2010.8.26)
【手続補正１】
【補正対象書類名】明細書
【補正対象項目名】００２０
【補正方法】変更
【補正の内容】
【００２０】
各実施例において第１レンズ群Ｂ１は物体側より像側へ順に、負レンズ、正レンズ、正レンズ、正レンズより成っている。具体的には第１レンズ群Ｂ１は物体側から像側へ順に、負レンズＧ１１、両凸形状の正レンズＧ１２、物体側が凸面の正レンズＧ１３、物体側が凸面でメニスカス形状の正レンズＧ１４より成っている。第３レンズ群Ｂ３の全部または一部のレンズ群を光軸に対して垂直方向の成分を持つように移動させて、被写体像の像位置を変位させて撮像装置が振動したときに生ずる画像ブレを補正している。第３レンズ群はズーミング時に像面に対して固定されているため、第３レンズ群Ｂ３の全部または一部のレンズ群を光軸に対して垂直方向の成分を持つように移動させる機構を備えることが容易となる。第３レンズ群Ｂ１は１面以上の非球面を含むようにしている。第３レンズ群Ｂ３は、特に広角端において軸上の光線束が高い位置を通過し、球面収差やコマ収差が大きく発生する。そこで、非球面を導入することでより効果的に収差補正を行うことが容易となる。第３レンズ群Ｂ３は両面が非球面形状のレンズを有するように構成している。第３レンズ群Ｂ３は、ズーム中間域において軸外の光線束が高い位置を通過し、非点収差や像面湾曲が大きく発生する。そこで、非球面を導入することでより効果的に収差補正を行うことが容易となる。さらに両面を非球面形状とすることで、非球面レンズの枚数を増加させることなく、上述した広角端での収差補正とズーム中間域での収差補正を同時に行うのが容易になる。
【手続補正２】
【補正対象書類名】明細書
【補正対象項目名】００３４
【補正方法】変更
【補正の内容】
【００３４】
６７＜Ｖ１Ａ＜７２        ‥‥‥（５ａ）
７０．１＜Ｖ１Ｂ          ‥‥‥（６ａ）
各実施例では、以上のように構成することで、広角端での画角２ωを７１．２度〜７３度と広画角にしつつ、１８倍〜２０倍と高ズーム比でありながら高性能なズームレンズを実現している。尚、各実施例において、第１レンズ群Ｂ１の物体側や第４レンズ群Ｂ４の像側に屈折力の小さなレンズ群を付加しても良い。又、テレコンバーターレンズやワイドコンバーターレンズ等を物体側や像側に配置しても良い。
【手続補正３】
【補正対象書類名】図面
【補正対象項目名】図１３
【補正方法】変更
【補正の内容】
【図１３】
2010256845.tif 000027
【手続補正４】
【補正対象書類名】図面
【補正対象項目名】図１５
【補正方法】変更
【補正の内容】
【図１５】
2010256845.tif 000028